(57)【特許請求の範囲】
【請求項１】
帽子の後部の開口部から引き出される外部に伸びたストラップ部分に、帽子に近い側に提供される第１の止め具と、帽子から遠い側に提供される第２の止め具を有し、該止め具はどちらもストラップ上を移動可能であり、第１の止め具は帽子の後部の開口部付近においてストラップを止めることができ、第２の止め具とその末端方向にあるストラップ部分とで頭部を貫通させることができる開口を形成でき、該開口に頭部を通して着帽した後に、第２の止め具により頸部後方でストラップを止めることができる、脱落が防止された帽子。
【請求項２】
帽子の後部の開口部から引き出される外部に伸びたストラップ部分に、帽子に近い側に提供される第１の止め具と、帽子から遠い側に提供される第２の止め具を有し、該止め具はどちらもストラップ上を移動可能であり、第１の止め具は帽子の後部の開口部付近においてストラップを止めることができ、第２の止め具とその末端方向にあるストラップ部分とで、頭部を貫通させることができる開口を形成し、該開口に頭部を通して着帽した後に、第２の止め具により頸部後方でストラップを止めることにより装着する、脱落が防止された帽子。
【請求項３】
第２の止め具からさらに末端方向にストラップ用連結クリップを有する、請求項１または２記載の帽子。
【発明の詳細な説明】
【技術分野】
【０００１】
本発明は新規な頭部装着物脱落防止用ストラップおよびこれに基づく帽子に関する。
【背景技術】
【０００２】
ヘッドホンや耳カバーなどには脱落防止手段が無く、雑踏で人とぶつかって脱落したり、またスキーなどの際には風圧によりはずれそうになって危険を生じる場合があった。
また、近年、紫外線による発ガン性が指摘され、サーフィンをはじめとして各種マリンスポーツなどにおいても日焼けを防ぐことが望まれている。このため、帽子をかぶってこれらのスポーツを楽しめれば健康上、有益である。しかし、帽子の脱落防止手段として一般的に使用されるあごひもは、強風などにより飛ばされることが多く、また、サーフィンなどでは海中に落下した際に帽子が脱げると、そのまま失うことが多かった。
クリップなどの手段により衣服に固定する帽子も公知であるが、サーフィンなどにおいては、着衣がないため使用することができなかった。
また、あごひもは圧迫感が強く、特に児童用帽子などにおいては、これを嫌う者が多かった。
【発明の開示】
【発明が解決しようとする課題】
【０００３】
本発明は、上記の課題を解決する頭部装着物脱落防止用ストラップを提供すること、およびかかるストラップを利用した、圧迫感がなく、着衣がなくても使用できる帽子を提供することを目的とする。
【課題を解決するための手段】
【０００４】
本発明は、一端に頭部装着物に取り付けるための手段を有する頭部装着物用ストラップであって、ストラップ上を移動可能な止め具を有し、止め具とその末端方向にあるストラップ部分とで、頭部を貫通させることができる開口を形成でき、該開口に頭部を通して装着した後に、該止め具により頸部後方でストラップを止めることができる頭部装着物脱落防止用ストラップを提供する。
また、本発明はその一態様として、一端に頭部装着物に取り付けるための手段を有する頭部装着物用ストラップであって、ストラップ上を移動可能な止め具を有し、止め具とその末端方向にあるストラップ部分とで、頭部を貫通させることができる開口を形成し、該開口に頭部を通して装着した後に、該止め具により頸部後方でストラップを止めることによって、頭部装着物を装着する頭部装着物脱落防止用ストラップを提供する。
【０００５】
頭部装着物とは、たとえば帽子、ヘッドホン、イヤホン、耳カバー、マイク等の頭部に装着される任意のものを言う。好ましくは頭部装着物は帽子である。
頭部装着物に取り付けるための手段は、頭部装着物とストラップをしっかりと結合できる物であれば任意の公知手段であることができ、たとえばクリップ、マジックテープ（登録商標）、ボタン、スナップなどであることができる。たとえば帽子では、任意の位置、たとえば後部、側部、前部のいずれの位置においても取り付け可能であることが好ましい。
【０００６】
ストラップとは、頭部装着物を装着者に固定するためのひも状のものをいう。ストラップの材質は特に限定されるものではなく、たとえば天然および合成繊維により作られたひも、皮革、プラスチック、ゴムなどであることができる。
本発明において、ストラップには少なくとも１つの止め具が提供される。該止め具はストラップ上を移動可能である。止め具は、止め具とその末端方向にあるストラップとにより形成される輪の大きさを画定する。止め具の末端方向にあるストラップとは、止め具に対して、頭部装着物に取り付けるための手段と反対側にあるストラップの部分をいう。
本発明の頭部装着物脱落防止用ストラップにおいては、止め具とその末端方向にあるストラップ部分とで、頭部を貫通させることができる開口を形成する。この開口に頭部を通して、ストラップを装着するので、ストラップの長さは頸部を取り囲み、かつ頭部装着物との連結を装着者に不快感を与えることなく行うことができる程度であることが望ましい。たとえば、成人用の場合、円周として７０−１２０ｃｍ程度の輪を形成できることが望ましい。
装着後、止め具が移動され、頸部後方でストラップが止められ、ストラップが装着される。
本発明の頭部装着物脱落防止用ストラップを使用すると、装着者の頸部周囲を完全にストラップが取り囲み、かつストラップと頭部装着物との連結が維持されるので、たとえば耳カバーがはずれても、脱落して失うことはない。
【０００７】
頭部装着物の装着中に止め具が移動して輪の大きさが変化すると装着者に不快感を与えるので、止め具を固定したらストラップの長さが容易に変化しない程度にストラップに固着される止め具が好ましい。たとえば、適当な内径の開口部を有する、球状、矩形などの任意の形状の物の他、公知のストラップ止め、たとえばそれぞれのひもを通すための２穴を有する止め具であって、スプリング機構などによりそれぞれのひもを固定できるものなどを使用することができる。
【０００８】
本発明のストラップにおいては、ストラップ用連結クリップを取り付けることが好ましい。ストラップ用連結クリップは、ストラップの長さ方向に対して所定の力が加わった時にはずれるものであることが好ましい。該ストラップ用連結クリップは、ストラップの端部に挿入単体と、被挿入単体を設けたストラップ用連結クリップであって、前記挿入単体はストラップの長さ方向に対して垂直方向から前記被挿入単体に挿入することによって両単体を一体連結し、連結後において、ストラップの長さ方向に対して所定の力が加わった時には、前記被挿入単体から前記挿入単体が外れるものであることが好ましい。かかるストラップ用連結クリップとしては、公知の任意のものが使用できるが、たとえば特開２００２−２２３８２２号に開示された物が好適に使用される。かかるストラップ用連結クリップを取り付けることにより、たとえばストラップが引っかかって張力が加わったときに、クリップがはずれ、首が絞まることを防止する。特に児童用の帽子の場合にはかかるストラップ用連結クリップを取り付けることが望ましい。クリップがはずれるために必要とされる力の大きさは、適宜決定することができ、これに応じたクリップを作ることは当業者にとって容易な事項である。
【０００９】
本発明はさらに、帽子の後部の開口部から引き出される外部に伸びたストラップ部分に、帽子に近い側に提供される第１の止め具と、帽子から遠い側に提供される第２の止め具を有し、該止め具はどちらもストラップ上を移動可能であり、第１の止め具は帽子の後部の開口部付近においてストラップを止めることができ、第２の止め具とその末端方向にあるストラップ部分とで頭部を貫通させることができる開口を形成でき、該開口に頭部を通して着帽した後に、第２の止め具により頸部後方でストラップを止めることができる脱落が防止された帽子を提供する。
【００１０】
ここでストラップとは、帽子を装着者に固定するためのひも状のものをいう。ストラップは帽子側面の周囲に沿って配置され、全体が輪状のひもとなっていてもよく、たとえば、ストラップ端を数センチ帽子側面の内部へ伸張し、その端を接着または縫いつけなどによって帽子に固定された１本のひも状のものであってもよい。場合によっては、ストラップは帽子側面の内側又は外側のどちらにあってもよいし、一部のみ露出されていても良い。
ストラップの材質は特に限定されるものではなく、たとえば天然および合成繊維により作られたひも、皮革、プラスチック、ゴムなどであることができる。
【００１１】
本発明において、帽子の外部に伸びたストラップ部分には２つの止め具が提供される。帽子の外部に伸びたストラップ部分とは、帽子の外部に露出されたストラップ部分である。
本発明においては、ストラップは帽子に近い側に提供される第１の止め具と、帽子から遠い側に提供される第２の止め具を有する。
第１の止め具と第２の止め具のどちらも、ストラップ上を移動可能である。
第１の止め具は帽子の後部の開口部付近においてストラップを止めることができる。すなわち、帽子の外部に伸びたストラップ部分に外力が加えられた際に帽子の開口部を損傷しないようにストラップを固定するとともに、ストラップが乱れて美観を損なうことを防止する。
【００１２】
第２の止め具は、止め具と、その末端方向にあるストラップとにより形成される輪の大きさを画定する。止め具の末端方向にあるストラップとは、止め具に対して、帽子と反対側にあるストラップの部分をいう。すなわち、本発明の帽子をかぶった際に、下になる方向が末端方向である。
本発明の帽子においては、第２の止め具とその末端方向にあるストラップ部分とで、頭部を貫通させて着帽することができる開口を形成する。本発明の帽子においては、第２の止め具とその末端方向にあるストラップにより形成される輪の中に頭部をいれて、帽子をかぶるので、帽子の外部に伸びたストラップの長さは頸部を取り囲み、かつ帽子との連結を装着者に不快感を与えることなく行うことができる程度であることが望ましい。たとえば、成人用の場合、円周として７０−１２０ｃｍ程度の輪を形成できることが望ましい。
着帽後、第２の止め具が移動され、頸部後方でストラップが止められ、帽子が装着される。
【００１３】
すなわち、本発明はその一態様として、帽子の後部の開口部から引き出される外部に伸びたストラップ部分に、帽子に近い側に提供される第１の止め具と、帽子から遠い側に提供される第２の止め具を有し、該止め具はどちらもストラップ上を移動可能であり、第１の止め具は帽子の後部の開口部付近においてストラップを止めることができ、第２の止め具とその末端方向にあるストラップ部分とで、頭部を貫通させることができる開口を形成し、該開口に頭部を通して着帽した後に、第２の止め具により頸部後方でストラップを止めることにより装着する、脱落が防止された帽子を提供する。
本発明の帽子では、装着者の頸部周囲を完全にストラップが取り囲み、かつストラップと帽子との連結が維持されるので、たとえば帽子が波にさらわれても、帽子は流されることがない。
【００１４】
本発明の帽子は前記のストラップ用連結クリップを有することが好ましい。また、ストラップ用連結クリップを使用しない場合には、止め具のストラップからの脱落を防止するための手段が好ましく設けられる。
【００１５】
帽子の両側部の内側または外側にストラップの固定手段を設けることができる。たとえば、帽子の側部の内側に、任意の公知手段、たとえばマジックテープ（登録商標）などのストラップを固定できる手段を有することができる。かかる手段によりストラップを固定すると、従来の帽子のように帽子の側部からストラップが垂れ下がり、これをあごひもとして使用することができる。
さらに、帽子の頭頂部の内側にストラップの固定手段を設けることができる。たとえば、帽子の頭頂部の内側に、任意の公知手段、たとえばマジックテープ（登録商標）などのストラップを固定できる手段を有することができる。かかる手段にストラップを固定すると、あごひものない状態で帽子をかぶることができる。
【発明の効果】
【００１６】
本発明の頭部装着物用ストラップを使用することにより、ヘッドホンおよび耳カバーなどの頭部装着物について脱落防止の効果を得ることができる。
本発明により、たとえばサーフィンのような衣服を着ないで行うスポーツにおいても帽子をかぶることができ、また帽子を失うことがない。
さらに、ストラップの長さ方向に対して所定の力が加わった時には外れるストラップ用連結クリップを取り付けることにより、強い力が作用した際にはストラップがはずれ、装着者を危険から守ることができる。このため、たとえば児童用の帽子においては不意の危険から児童を守ることができ、あごひもを有する帽子よりも安全である。
【発明を実施するための最良の形態】
【００１７】
以下、図面を参照しつつ本発明をより詳細に説明する。
図１は、本発明にかかる帽子の１つの態様を示す帽子の背面図である。
本発明にかかる帽子１は、帽子の外部に伸びたストラップ部分２を有する。この帽子の外部に伸びたストラップ部分には、ストラップ上を移動可能な第１の止め具６，および第２の止め具３が提供される。止め具２とその末端方向にあるストラップにより頭部を挿入するに十分な大きさの開口４を形成できる。好ましくは、帽子の外部に伸びたストラップ部分にストラップ用連結クリップ５が提供される。
また、本発明にかかる帽子は、側部にストラップの固定手段７を有することができる。かかる固定手段により、ストラップを帽子の側部から下方に伸ばすことができるので、通常のあごひもを有する帽子としても使用することができる。また、本発明にかかる帽子は、頂部にストラップの固定手段８を有することができる。かかる固定手段により、ストラップを帽子内部に収納することができるので、あごひものない帽子としても使用することができる。
ストラップは数字９で示すように帽子側面の周囲に沿って配置されることができ、このストラップは開口部１０から引き出され、帽子の外部に伸びたストラップ部分が形成される。
【００１８】
図２は、本発明にかかるストラップの１つの態様を示す図である。
本発明にかかるストラップ１１は、その一端に頭部装着物に取り付けるための手段１２、およびストラップ上を移動可能な止め具１３を有する。本発明のストラップは、前記手段１２により、帽子に取り付けられる。また、止め具１３を移動させることにより、開口部１４の大きさを変化させることができる。装着者は開口部１４内に頭部を挿入し、ストラップが取り付けられた頭部装着物を装着する。それにより、頭部装着物が脱げてもストラップの効果により頭部装着物を失うことがない。また、好ましくは、本発明のストラップはストラップ用連結クリップ１５を有する。かかるクリップは、ストラップに大きな力が加わった際にははずれ、装着者の首が絞まることを防止し、危険から守る。
さらに、任意にさらなる止め具１６を設けることができる。
【００１９】
図３は本発明の帽子を装着した様子を示す図である。
装着者は第２の止め具とその末端方向にあるストラップにより形成される開口の中に頭部を通し、帽子を装着する。第２の止め具は、装着後、首の後ろの適当な場所でストラップを固定し、首の回りのストラップの長さを調節する。
【図面の簡単な説明】
【００２０】
【図１】図１は本発明にかかる帽子の背面図である。
【図２】図２は本発明にかかるストラップを示す図である。
【図３】図３は本発明にかかる帽子を装着した様子を示す図である。
【符号の説明】
【００２１】
１；帽子、２；帽子の外部に伸びたストラップ部分、３；第２の止め具、４；開口部、５；ストラップ用連結クリップ、６；第１の止め具、７；ストラップの固定手段、８；ストラップの固定手段、９；帽子側面内側のストラップ、１０；ストラップが引き出される開口、
１１；ストラップ、１２；ストラップを頭部装着物に取り付けるための手段、１３；止め具、１４；空間、１５；ストラップ用連結クリップ、１６；止め具
【要約】
【課題】  新規な頭部装着物脱落防止用ストラップおよびこれに基づく帽子の提供。
【解決手段】  一端に頭部装着物に取り付けるための手段を有する頭部装着物用ストラップであって、ストラップ上を移動可能な止め具を有し、止め具とその末端方向にあるストラップ部分とで、頭部を貫通させることができる開口を形成でき、該開口に頭部を通して装着した後に、該止め具が頸部後方でストラップを止めることができる頭部装着物脱落防止用ストラップ。
【選択図】  図１
【図１】
0003635297.tif 000002
【図２】
0003635297.tif 000003
【図３】
0003635297.tif 000004